(57)【要約】【課題】  本発明は、クレードルが邪魔にならない構造であり、かつ本体ユニットを覆い隠して非露出状態に設定できるようにする。【解決手段】  本発明は、フロントコンソールに収納された本体ユニット２によって液晶モニター付ＤＶＤプレーヤ４を機械的かつ電気的に接続するため当該本体ユニット２に取り付けられた載置台９と、載置台９を回動自在に保持するスライドレール２１、２２及び軸１２とを具え、液晶モニター付ＤＶＤプレーヤ４が取り外された場合には、載置台９が本体ユニット２の蓋として用いられるようにしたことにより、本体ユニット２が載置台９から取り外された未使用時には当該載置台９が回動して本体ユニット２の蓋として機能するため、未使用時には載置台９が邪魔にならない構造であり、かつ本体ユニット２を覆い隠して非露出状態に設定することができる。【選択図】        図４
2006218968.tif 000002
【特許請求の範囲】
【請求項１】
車載機器用クレードルであって、
車内空間のフロントコンソールに収納された車載機器に外部機器を機械的かつ電気的に接続するため当該車載機器に取り付けられる載置台と、
上記載置台を回動自在に保持する保持部と
を具え、
上記車載機器から上記外部機器が取り外された場合には、上記保持部を介して回動することにより当該載置台が上記車載機器の蓋として用いられる
ことを特徴とする車載機器用クレードル。
【請求項２】
上記載置台は、上記車載機器の蓋として用いられる場合、当該載置台が上記車載機器の表面と一体化される
ことを特徴とする請求項１に記載の車載機器用クレードル。
【請求項３】
上記載置台は、上記車載機器の表面に配置されたサラウンドシステムのセンタースピーカを隠すための上記蓋として用いられる
ことを特徴とする請求項１に記載の車載機器用クレードル。
【請求項４】
車内空間のフロントコンソールに収納された車載機器と、
上記車載機器に外部機器を機械的かつ電気的に接続するため当該車載機器に取り付けられる載置台と、
上記載置台を回動自在に保持する保持部と
を具え、
上記車載機器から上記外部機器が取り外された場合には、上記保持部を介して回動することにより当該載置台が上記車載機器の蓋として用いられる
ことを特徴とするクレードル一体型車載機器。
【発明の詳細な説明】
【技術分野】
【０００１】
本発明は、車載機器用クレードル及びクレードル一体型車載機器に関し、例えば車載機器として自動車のフロントコンソールに収納された本体ユニットと、当該本体ユニットに取り付けられる外部機器とを車載機器用クレードルを介して機械的かつ電気的に接続する場合に適用して好適なものである。
【背景技術】
【０００２】
従来、車載機器として自動車のフロントパネルのオーディオ取付部内に収納された本体ユニットに対し、ポータブルの液晶モニター付ＤＶＤ(Digital Versatile Disc)プレーヤを外部機器として外付け的に接続する場合には、ダッシュボード上に貼り付けられたスタンドを介して当該本体ユニットと液晶モニター付ＤＶＤプレーヤとを機械的かつ電気的に接続するようになされている。
【０００３】
このような車載機器では、液晶モニター付ＤＶＤプレーヤをダッシュボード上のスタンドから取り外したとき、当該ダッシュボード上にスタンドが残ることになり、邪魔になるだけではなく美観も損なわれてしまう。
【０００４】
そこで、本体ユニットに設けられた引出自在なクレードルを介して携帯情報端末を載置する構造の保持装置が提案されており（例えば、特許文献１参照）、当該携帯情報端末の代わりに液晶モニター付ＤＶＤプレーヤを載置することが考えられる。
【特許文献１】特開2003-229942公報
【発明の開示】
【発明が解決しようとする課題】
【０００５】
ところでかかる構成の保持装置では、クレードルが収納された場合には邪魔になることはなく、また美観が損なわれることもないが、当該クレードルが本体ユニットに収納されるが当該本体ユニットは剥き出し状態のまま露出状態にあるため盗難を誘発しかねないという問題があった。
【０００６】
本発明は以上の点を考慮してなされたもので、クレードルが邪魔にならない構造であり、かつクレードルの未使用時には本体ユニットを覆い隠して非露出状態に設定し得る車載機器用クレードル及びクレードル一体型車載機器を提案しようとするものである。
【課題を解決するための手段】
【０００７】
かかる課題を解決するため本発明の車載機器用クレードルにおいては、車内空間のフロントコンソールに収納された車載機器に外部機器を機械的かつ電気的に接続するため当該車載機器に取り付けられる載置台と、載置台を回動自在に保持する保持部とを具え、車載機器が取り外された場合には、保持部が回動することにより当該載置台が上記車載機器の蓋として用いられるようにしたことにより、車載機器が載置台から取り外された未使用時には当該載置台が回動して車載機器の蓋として機能するため、未使用時には載置台が邪魔にならない構造であり、かつ車載機器を覆い隠して非露出状態に設定することができる。
【０００８】
また本発明のクレードル一体型車載機器においては、車内空間のフロントコンソールに収納された車載機器と、車載機器に外部機器を機械的かつ電気的に接続するため当該車載機器に取り付けられる載置台と、当該載置台を回動自在に保持する保持部とを具え、外部機器が取り外された場合には、保持部を介して回動し当該載置台が車載機器の蓋として用いられるようにしたことにより、外部機器が載置台から取り外された未使用時には当該載置台が回動して車載機器の蓋として機能するため、未使用時には載置台が邪魔にならない構造であり、かつ車載機器を覆い隠して非露出状態に設定することができる。
【発明の効果】
【０００９】
本発明によれば、車載機器が載置台から取り外された未使用時には当該載置台が回動して車載機器の蓋として機能するため、未使用時には載置台が邪魔にならない構造であり、かつ載置台の未使用時には車載機器を覆い隠して非露出状態に設定し得る車載機器用クレードル及びクレードル一体型車載機器を実現することができる。
【発明を実施するための最良の形態】
【００１０】
以下、図面について、本発明の一実施の形態を詳述する。
【００１１】
（１）クレードル一体型車載機器の構成
図１において、１は全体として本発明のクレードル一体型車載機器を示し、車内空間のフロントコンソール（図示せず）に収納される本体ユニット２と、当該本体ユニット２と一体に設けられた車載機器用クレードル３とによって構成されており、当該車載機器用クレードル３を介して着脱自在に取り付けられる例えばポータブル型の液晶モニター付ＤＶＤプレーヤ４が機械的かつ電気的に取り付けられる。
【００１２】
図１及び図２に示すように液晶モニター付ＤＶＤプレーヤ４は、その前面側にＬＣＤ(Liquid Crystal Display)５Ａを有するモニター部５と、背面側のＤＶＤプレーヤ本体部６とからなり、モニター部５が当該モニター部５の上端に設けられたヒンジ（図示せず）を介してＤＶＤプレーヤ本体部６から離れる方向又は近づく方向へ回動し得るようになされている。
【００１３】
実際上、液晶モニター付ＤＶＤプレーヤ４は、モニター部５が回動してＤＶＤプレーヤ本体部６から開いた状態のとき、当該ＤＶＤプレーヤ本体部６にＤＶＤ７が装填されたり又は当該ＤＶＤプレーヤ本体部６からＤＶＤ７が取り外されるようになされている。
【００１４】
なお液晶モニター付ＤＶＤプレーヤ４は、モニター部５におけるＬＣＤ５Ａの両側にスピーカ４Ａ及び４Ｂが設けられると共に、当該モニター部５の右側サイドに他の電子機器と接続するためジャック４Ｃが設けられている。
【００１５】
クレードル一体型車載機器１の本体ユニット２は、１ＤＩＮ(Deutsche Industrie Normen)規格サイズ若しくは２ＤＩＮ規格サイズの筐体でなり、５．１ｃｈサラウンドシステムにおけるセンタースピーカ１０がフロント正面に配置されると共に、その筐体が密閉型のスピーカボックスとして用いられるようになされている。
【００１６】
なお本体ユニット２は、その筐体内部にセンタースピーカ１０及びその他４個のスピーカ（図示せず）のスピーカ出力を増幅するためのアンプ回路１１が搭載されている。
【００１７】
このように本体ユニット２には、その筐体前面のほぼ中央にセンタースピーカ１０が配置され、そのスピーカユニット１０Ａの後方には所定の間隔をあけた状態でアンプ回路１１が配置されており、これにより当該センタースピーカ１０の周波数特性に悪影響が生じることを極力低減するようになされている。
【００１８】
また本体ユニット２は、センタースピーカ１０の上部に車載機器用クレードル３が取り付けられており、当該車載機器用クレードル３には断面略Ｌ字状の載置台９Ａが、本体ユニット２の筐体内部に対して引出収納自在に設けられたスライドレール２１及び２２の先端で回動自在に取り付けられた構成を有している。
【００１９】
具体的には、車載機器用クレードル３の載置台９は、当該載置台９の両サイドに沿って設けられたスライドレール２１及び２２の先端内部における軸１２を介して１８０度の範囲内で、当該載置台９が手前側に回動し得るようになされている。
【００２０】
この車載機器用クレードル３の載置台９（図１）は、液晶モニター付ＤＶＤプレーヤ４のＤＶＤプレーヤ本体部６の裏面側に設けられた所定形状の凸部（図示せず）と係合させるための凹部９Ｃが形成された後背部９Ａと、当該ＤＶＤプレーヤ本体部６を載せる部分となる載置部９Ｂとによって構成されている。
【００２１】
なお載置台９の載置部９Ｂには、液晶モニター付ＤＶＤプレーヤ４のＤＶＤプレーヤ本体部６と電気的な接続を図るための接続端子１５が形成されていると共に、液晶モニター付ＤＶＤプレーヤ４におけるＤＶＤプレーヤ本体部６の底部にも当該接続端子１５と電気的な接続を図るための接続端子８が設けられている。
【００２２】
また載置部９Ｂの接続端子１５は、本体ユニット２の筐体内部に実装されたアンプ回路１１と電気的に接続されている。
【００２３】
これにより車載機器用クレードル３は、ＤＶＤプレーヤ本体部６の凸部と載置台９の凹部９Ｃとが係合したとき、当該載置台９の接続端子１５とＤＶＤプレーヤ本体部６の接続端子８とを介し、当該液晶モニター付ＤＶＤプレーヤ４が立設した状態で機械的かつ電気的に接続される。
【００２４】
このような構成のクレードル一体型車載機器１では、図３に示すように液晶モニター付ＤＶＤプレーヤ４のモニター部５が閉じて、当該モニター部５とＤＶＤプレーヤ本体部６とが密着した状態で、図４に示すように車載機器用クレードル３の載置台９から取り外された後、当該載置台９が矢印に示すように１８０度回転し得るようになされている。
【００２５】
ここで車載機器用クレードル３の載置台９は、液晶モニター付ＤＶＤプレーヤ４が取り付けられた状態から１８０度回転し、当該載置部９Ｂの接続端子１５が下方向を向いた状態に変化すると、当該接続端子１５が設けられている載置部９Ｂとスライドレール２１及び２２とが直線状になる。
【００２６】
スライドレール２１は、当該スライドレール２１に略楕円形状の突出部３２及び３３が設けられており、当該突出部３２及び３３と、本体ユニット２の筐体内部に設けられたスライド溝３１とが係合する。
【００２７】
その際、スライドレール２１は、当該スライド溝３１の所定位置に取り付けられているストッパー３４により突出部３２及び３３間の範囲内で本体ユニット２の長手方向へ移動し得るようになされている。なおスライドレール２２においても、スライドレール２１と同様であるため、ここでは便宜上その説明は省略する。
【００２８】
すなわちクレードル一体型車載機器１では、図５に示すように車載機器用クレードル３の載置台９がスライドレール２１及び２２に沿って本体ユニット２の筐体内部に収納される方向へ移動されると、当該載置台９の後背部９Ａがセンタースピーカ９を覆い隠すための蓋となり、当該後背部９Ａの裏面９Ｄだけを露出するようになされている。
【００２９】
（２）動作及び効果
以上の構成において、クレードル一体型車載機器１では車載機器用クレードル３の載置台９がスライドレール２１及び２２に沿って本体ユニット２の筐体内部から引き出された状態で接続端子１５が上方を向くように位置したとき（図１〜図３）、液晶モニター付ＤＶＤプレーヤ４のＤＶＤプレーヤ本体部６が後背部９Ｂの凹部９Ｃによって取り付けられ、当該ＤＶＤプレーヤ本体部６の接続端子８と載置部９Ａの接続端子１５とが電気的に接続される。
【００３０】
これによりクレードル一体型車載機器１では、外部から車内空間に持ち込まれた液晶モニター付ＤＶＤプレーヤ４を、センタースピーカ１０を備えた本体ユニット２に電気的及び機械的に接続することができるので、あたかも車内空間に予め備え付けられた液晶モニター付ＤＶＤプレーヤ４であるかのように用いることができる。
【００３１】
そしてクレードル一体型車載機器１では、ユーザが車内空間から外部に出る際に、液晶モニター付ＤＶＤプレーヤ４を車載機器用クレードル３の載置台９から垂直方向に持ち上げることにより載置部９Ａの接続端子１５とＤＶＤプレーヤ本体部６の接続端子８との電気的接続を解除すると共に、当該ＤＶＤプレーヤ本体部６の裏面側に形成された凸部と後背部９Ａの凹部９Ｃとの係合状態を解除する（図４）。
【００３２】
その後、クレードル一体型車載機器１では車載機器用クレードル３の載置台９が約１８０度回転されることにより、当該載置台９の載置部９Ｂとスライドレール２１及び２２とが直線状に揃い、この状態で車載機器用クレードル３がユーザによって本体ユニット２の筐体内部に押し込まれる。
【００３３】
これによりクレードル一体型車載機器１は、車載機器用クレードル３の後背部９Ａの裏面９Ｄが露出し、センタースピーカ１０を完全に覆い隠すことができるので、これまで液晶モニター付ＤＶＤプレーヤ４のＤＶＤプレーヤ本体部６を取り付けるために機能していた載置台９がセンタースピーカ１０を覆い隠すための蓋として機能することになる。
【００３４】
従ってクレードル一体型車載機器１は、液晶モニター付ＤＶＤプレーヤ４を使用しない環境下ではセンタースピーカ１０を使用する必要もなく、車載機器用クレードル３の載置台９における後背部９Ａを当該センタースピーカ１０の蓋として用いることにより、あたかもセンタースピーカ１０が存在しないように見せることができるので、本体ユニット２が露出状態にあることによる盗難の誘発を未然に防止し、セキュリティの向上を図ることができる。
【００３５】
ところで従来では、液晶モニター付ＤＶＤプレーヤ４が取り外されたときに、当該液晶モニター付ＤＶＤプレーヤ４を取り付けるためのクレードルの存在が確認できる状態で車内空間に残存し、邪魔になったり美観が損なわれることもあった。
【００３６】
しかしながら、このクレードル一体型車載機器１では、車載機器用クレードル３の載置台９における後背部９Ａを当該センタースピーカ１０の蓋として用いると共に、当該載置台９の載置部９Ｂを本体ユニット２の筐体内部に収納し得るようにしたことにより、液晶モニター付ＤＶＤプレーヤ４が取り外された未使用時に載置台９が邪魔になることもなく、車内空間の美観が損なわれることを防止することができる。
【００３７】
以上の構成によれば、クレードル一体型車載機器１では、液晶モニター付ＤＶＤプレーヤ４を取り付けるための機能と、当該液晶モニター付ＤＶＤプレーヤ４を取り外した際には、車載機器用クレードル３の載置台９を本体ユニット２のセンタースピーカ１０を覆い隠す蓋としての機能とを車載機器用クレードル３に持たせたことにより、液晶モニター付ＤＶＤプレーヤ４の未使用時には当該車載機器用クレードル３の載置台９が邪魔にならない構造で、かつ本体ユニット２のセンタースピーカ１０を覆い隠して非露出状態に設定することができる。
【００３８】
（３）他の実施の形態
なお上述の実施の形態においては、センタースピーカ１０の幅よりも僅かに長い幅の載置台９を有する車載機器用クレードル３によって液晶モニター付ＤＶＤプレーヤ４のＤＶＤプレーヤ本体部６を取り付けるようにした場合について述べたが、本発明はこれに限らず、図６に示すように本体ユニット２の前面の幅とほぼ同じ幅の載置台５９を有する車載機器用クレードル５３によって液晶モニター付ＤＶＤプレーヤ４のＤＶＤプレーヤ本体部６を取り付けるようにしても良い。この場合、車載機器用クレードル５３は後背部５９Ａによって本体ユニット２の前面を全て覆い隠すことができる。
【００３９】
また上述の実施の形態においては、車載機器用クレードル３の載置台９における後背部９Ａをセンタースピーカ１０の蓋として用いるようにした場合について述べたが、本発明はこれに限らず、後背部９Ａを無くし載置部９Ｂだけで車載機器用クレードル３を構成し、未使用時には当該載置部９Ｂを約２７０度回転させることにより載置部９Ｂをセンタースピーカ１０の蓋として用いるようにしても良い。
【００４０】
さらに上述の実施の形態においては、車載機器用クレードル３に取り付ける対象として液晶モニター付ＤＶＤプレーヤ４を用いるようにした場合について述べたが、本発明はこれに限らず、カーナビゲーションシステムのモニター部、ＰＤＡ(Personal Digital Assistant)、小型のノートブック型パーソナルコンピュータ、携帯電話機を対象とするようにしても良い。
【００４１】
さらに上述の実施の形態においては、本体ユニット２では筐体内部にアンプ回路１１を搭載するようにした場合について述べたが、本発明はこれに限らず、筐体内部にはアンプ回路１１を搭載することなく、スピーカユニット１０Ａだけを搭載するようにしても良い。
【００４２】
さらに上述の実施の形態においては、車載機器用クレードル３がセンタースピーカ１０の設けられた本体ユニット２と一体に形成されているようにした場合について述べたが、本発明はこれに限らず、車載機器用クレードル３がＤＶＤプレーヤ、ＣＤプレーヤ、カーナビゲーションシステムの本体部等のセンターコンソールに収納されたその他種々の電子機器と一体に形成されているようにしても良い。
【００４３】
さらに上述の実施の形態においては、車載機器用クレードル３の載置台９を回動自在に保持する保持部として、スライドレール２１及び２２の先端内部と、載置部９Ｂを挿通する軸１２とによって載置台９を回動自在に保持するようにした場合について述べたが、本発明はこれに限らず、図７に示すようにスライドレール２１及び２２の先端内部と、載置部９Ｂの両側に分かれて設けられた２つの軸８２及び８３とによって載置台９を回動自在に保持するようにしても良い。
【産業上の利用可能性】
【００４４】
本発明の車載機器用クレードル及びクレードル一体型車載機器は、例えば車内空間のセンターコンソールに収納される車載機器に対して、外付けの外部機器をクレードルによって取り付ける用途に適用することができる。
【図面の簡単な説明】
【００４５】
【図１】クレードル一体型車載機器の構成を示す略線的斜視図である。
【図２】液晶モニター付ＤＶＤプレーヤが取付けられたクレードル一体型車載機器を示す略線図である。
【図３】モニター部が閉じた状態を示す略線図である。
【図４】載置台が下方向に回転した状態を示す略線図である。
【図５】載置台が収納された状態を示す略線図である。
【図６】他の実施の形態におけるクレードル一体型車載機器（１）の構成を示す略線的斜視図である。
【図７】他の実施の形態におけるクレードル一体型車載機器（２）の構成を示す略線的斜視図である。
【符号の説明】
【００４６】
１、５１、８２……クレードル一体型車載機器、２……本体ユニット、３、５３……車載機器用クレードル、４……液晶モニター付ＤＶＤプレーヤ、５……モニター部、６……ＤＶＤプレーヤ本体部、７……ＤＶＤ、８、１５……接続端子、９、５９……載置台、１０……センタースピーカ、１１……電子回路、１２、７２、８２、８３……軸、２１、２２、６１、６２……スライドレール、３２、３３……突出部、３４……ストッパ。
【図１】
2006218968.tif 000003
【図２】
2006218968.tif 000004
【図３】
2006218968.tif 000005
【図４】
2006218968.tif 000006
【図５】
2006218968.tif 000007
【図６】
2006218968.tif 000008
【図７】
2006218968.tif 000009